(57)【要約】【課題】末永く大事に持ち続けられ、しかも金庫の奥でなく日常的に身につけられるという側面に着目することにより、ダイヤモンドの価値を多様化する。【解決手段】一つの原石を分割して得られた複数のダイヤモンドに対し、それぞれのダイヤモンドの原石の同一性を証する証明書１０を、ダイヤモンドに付すると共に、それぞれのダイヤモンド１にＩＤ２を施し、証明書中においてそれぞれのダイヤモンドを、上記ＩＤをもって特定する。【選択図】      図２
2004310191.tif 000002
【特許請求の範囲】
【請求項１】
一つの原石を分割して得られた複数のダイヤモンドに対し、それぞれのダイヤモンドの原石の同一性を証する証明書を、ダイヤモンドごと又はダイヤモンドの組ごとに付すると共に、それぞれのダイヤモンドにＩＤを施し、証明書中においてそれぞれのダイヤモンドを上記ＩＤをもって特定することを特徴とする証明書付きダイヤモンド。
【請求項２】
証明書はダイヤモンドの品質保証書又は鑑別書又は鑑定書に付加される請求項１記載の証明書付きダイヤモンド。
【請求項３】
双方向通信機能を有するネットワークを通じてアクセス可能なサーバにおいて、原石のデータをファイル化してデータベースに蓄積し、各原石のファイルにはそれを分割して得たダイヤモンドのデータと共に書き込み可能なエリアを設け、認証を受けたダイヤモンド保有者に保有するダイヤモンドに付されたＩＤをキーとしてその原石のファイルにアクセスして書き込み及び書き込まれたデータの読み込みを許可する請求項１又は２記載の証明書付きダイヤモンド。
【請求項４】
ネットワークはインターネットである請求項３記載の証明書付きダイヤモンド。
【請求項５】
ダイヤモンドにサーバのアドレスを施す請求項３又は４記載の証明書付きダイヤモンド。
【請求項６】
サーバは日本国外に設けられる請求項３から５の何れかに記載の証明書付きダイヤモンド。
【発明の詳細な説明】
【０００１】
【発明の属する技術分野】
この発明は証明書付きのダイヤモンドに関する。
【０００２】
【従来の技術】
ダイヤモンドの販売において、その品質を証明する証明書を添付することが広く行われている。この種の証明書としては販売者が単純にダイヤモンドが真正であることを保証した品質保証書の他、第三者機関が一定の鑑別基準に基づいてダイヤモンドが真正であることを鑑別した鑑別書、同じく品質について鑑定した鑑定書等がある。
【０００３】
しかしながら、何れの証明書においても、証明されるのはダイヤモンドの真贋及びカット（形状）、カラット（重量）、カラー（色）、クラリティー（明澄度）等の品質上の等級であり、それ以外の要素は考慮されていなかった。
【０００４】
ところで、原石からダイヤモンドを得るに際しては、一つの原石から可及的に大きなダイヤモンドをカットすることが常識であった。これは、カラットが大きいダイヤモンドの方が希少性があり、高価格で取引されるからである。従って、原石をあえて複数個のダイヤモンドに分割するという発想はなかなか起こり難かった。
【０００５】
【発明が解決しようとする課題】
前記した証明書が物語るように、従来はダイヤモンドにおいて重視されるのはその品質、即ち宝石としての価値であった。これは、装飾品の本質上、ごく自然のことである。しかしながら、ダイヤモンドにはそれが高価な宝石であることから、売却や譲渡しない限り持ち主が末永くそれを大事に持ち続けるという側面もあった。これは時の経過と共に廃棄されたり無くされたりする一般の消費財や、額面上の価値が重要であり物理的な媒体（紙幣自体）それ自体は転々入れ代わる紙切れに過ぎない現金と大きく異なるところである。一方、ダイヤモンドは装飾品なので、末永くそれを大事に持ち続けるという側面がありながら、常に身につけて鑑賞するという側面もある。
【０００６】
前記のようにダイヤモンドは装飾品としての側面が重視される他、末永く大事に持ち続けられ、しかも金庫の奥でなく日常的に身につけられるという側面も重視されるべきであるが、従来このような側面に目が向けられたことは少なく、それに着目した発明も存しなかった。この発明はダイヤモンドの上記の側面に着目して創作されたものであり、このような側面を掘り起こすことにより、装飾品としての魅力に加えて、それ以外の新たな魅力をダイヤモンドに付加しその需要を高めることを目的とする。
【０００７】
【課題を解決するための手段】
即ち、この発明は一つの原石を分割して得られた複数のダイヤモンドに対し、それぞれのダイヤモンドの原石の同一性を証する証明書をダイヤモンドごと又はダイヤモンドの組ごとに付すると共に、それぞれのダイヤモンドにＩＤを施し、証明書中においてそれぞれのダイヤモンドを上記ＩＤをもって特定することを特徴とする。
【０００８】
よって、この発明においては、例えば二つに分割したダイヤモンドのそれぞれを夫婦や恋人同士が持つことにより、原石を共通にするダイヤモンドを末永く持ち続けるという意味が生じ、当事者にそれが永遠の愛の証となるという印象を与える作用を生じる。
【０００９】
又、ここでは前記第１発明を前提とした第２発明として、前記の発明において、双方向通信機能を有するネットワークを通じてアクセス可能なサーバにおいて、原石のデータをファイル化してデータベースに蓄積し、各原石のファイルにはそれを分割して得たダイヤモンドのデータと共に書き込み可能なエリアを設け、認証を受けたダイヤモンド保有者に保有するダイヤモンドに付されたＩＤをキーとしてその原石のファイルにアクセスして書き込み及び書き込まれたデータの読み込みを許可する発明も開示する。
【００１０】
よって、この発明によれば例えば分割したダイヤモンドのそれぞれを持った者同士が離ればなれになっても、ダイヤモンドに付されたＩＤを手掛かりにその原石のファイルにアクセスして、書き込み情報からその原石から得られた他のダイヤモンドの保有者の消息を知ることが可能になる作用を生じる。
【００１１】
【発明の実施の形態】
以下、この発明の具体的実施例を添付図面に基づいて説明する。図１はこの発明のダイヤモンドの一例を示す図である。このダイヤモンド１は一つの原石から分割されたものの内の一つであり、典型的な分割数は二つであるが、それ以上であってもよい。例えば、夫婦や恋人同士が分割されたダイヤモンドを持ち合うことを前提とした場合は二つであるが、家族やグループが持ち合う場合はその人数に応じた数に分割する。図中符号２はダイヤモンド１のガードル３箇所に刻印されたＩＤである。ＩＤは文字又は数字又はこれらの組み合わせからなるものが想定できるが、例えば親番号と子番号の結合により構成し、親番号により共通の原石を表し、子番号により各ダイヤモンドを表してもよい。
【００１２】
図２は前記のダイヤモンド１に添付される証明書を原石から二つに分割した場合を例として示す図であり、ここでは鑑別書と一体となったものを想定する。この証明書においては、少なくともそれぞれのダイヤモンドの原石の同一性が証されることが必要であり、ここではそのための手段として証明書の右欄に原石の写真１１を記載すると共に、そこから分割された各ダイヤモンドの欄１２Ａ、１２Ｂを設け、各欄にはダイヤモンドのＩＤ２、寸法図Ｃ、写真Ｐが記載される。又、左欄には原石の情報欄１３、各ダイヤモンドの鑑別結果欄１４Ａ、１４Ｂが設けられる。原石の情報欄には採掘地等の他に、分割したことが真正であることを保証するためにダイヤモンドにカットした責任者の署名等を施しても良い。又、各ダイヤモンドの鑑別結果欄にはＩＤと共に、カット、カラット、カラー、クラリティー等の品質上の等級の鑑別結果が付される。以上の証明書はダイヤモンドごと又はダイヤモンドの組ごとに発行される。
【００１３】
図３は前記第２発明の実施例を示すブロック図である。第２発明においては前記の発明を前提とし、更に原石のデータをファイル化して、双方向通信機能を有するネットワークを通じてアクセス可能なサーバ上に蓄積する。図中符号Ｓはサーバであり、このサーバには原石のデータをファイル化したデータベースＤが設けられる。上記サーバＳはインターネットなどの双方向通信機能を有するネットワークＮに接続され、ダイヤモンドの保有者は端末装置からこのサーバにアクセスする。保有者の端末装置としてはこの発明の出願時点ではインターネットに接続可能なパソコンやモバイル端末Ｔ２、それに携帯電話Ｔ１等が想定でき、ウェブブラウザ上でオンデマンド操作が実行されるが、端末装置の種類や実行手段はこれらに限られないことはいうまでもない。
【００１４】
サーバＮのデータベースＤに蓄積される原石のデータのファイルには、それを分割して得たダイヤモンドのデータと共に書き込み可能なエリアが設けられ、アクセスしたダイヤモンドの保有者はダイヤモンドのデータを閲覧する他に、書き込みや、同じ原石の他のダイヤモンドの保有者が書き込んだ内容を閲覧できる。書き込みの内容は例えば結婚式の写真や映像等の記念的な色彩のものの他、ダイヤモンドの他の保有者に知らせたいメッセージ等が想定できる。
【００１５】
ダイヤモンドの保有者がサーバの自己のダイヤモンドの原石のデータファイルにアクセスするには認証を要し、この認証はダイヤモンドに付されたＩＤをキーとすると共に所定のパスワードを要する。後記するようにこの発明のポイントはダイヤモンドを購入した者が長い年月の後であっても同じ原石から得られた他のダイヤモンドの保有者の消息を得られることを可能にする点にある。この場合、恣意的に付したパスワードの場合は年月と共に忘れ去られてしまうおそれがあり、アクセス不能の危険がある。そこで、パスワードに関しここでは例えば他のダイヤモンドの保有者の生年月日や出身校、旧姓等を設定し、これをサーバ側から質問形式で要求することが望ましい。上記のような事項は年月と共に忘れ去られてしまうおそれはなく、一方、アクセスする本人のものではないのでセキュリティ上も危険がない。同様の理由から証明書類も紛失してしまうおそれがあるので、サーバのアドレスは証明書の他に、ダイヤモンド自体の刻印することが望ましい。又、天災や戦災により、ダイヤモンドの保有者同士が離ればなれになる事態も想定した場合、サーバはこれらの影響を受ける日本国内でなく国外に設置することが望ましい。
【００１６】
【発明の効果】
以上の構成からなるこの発明は次の特有の効果を奏する。
（１）  第１発明においては、一つの原石を分割したダイヤモンドのそれぞれを夫婦や恋人同士が持つことにより、原石を共通にするダイヤモンドを末永く持ち続けるという意味が生じ、当事者にそれが永遠の絆や愛の証となるという印象を与える作用を生じる。これは、ダイヤモンドの装飾品としての側面のみでなく、末永く大事に持ち続けられ、しかも金庫の奥でなく日常的に身につけられるという側面を利用した作用であり、このようにダイヤモンドに対し新たな価値を与えることによりその需要の増進が図れる。
（２）  第２発明においては、分割したダイヤモンドのそれぞれを持った者同士が離ればなれになっても、ダイヤモンドに付されたＩＤを手掛かりにその原石のファイルにアクセスして、書き込み情報からその原石から得られた他のダイヤモンドの保有者の消息を知ることが可能になる作用を生じる。例えば、具体的には次のようなことが可能となる。
（Ａ）  夫婦や家族が天災や戦災により離ればなれになった場合に、それぞれが保有するダイヤモンドの共通の原石のファイルにアクセスして状況を書き込みことにより互いの消息を知ることができる。
（Ｂ）  学生時代の中のよいグループがそれぞれが保有するダイヤモンドの共通の原石のファイルにアクセスして状況を書き込みことにより互いの消息を知ることができる。
（Ｃ）  恋人同士が離別した場合に、それぞれが保有するダイヤモンドの共通の原石のファイルにアクセスして状況を書き込みことにより消息や離別後の互いの気持ちを知ることができ、やり直しの機会が生じる。
【００１７】
前記の（２）  の効果は、一見すると電子メールの利用の効果と変わりないようの思えるかもしれない。しかしながら、電子メールを利用して所望の人物に連絡をするにはその相手のメールアドレスを知っていなくてはならず、長い年月の間にはアドレスを記録したものが紛失したり、相手方のアドレスが変更になるおそれもある。この発明の場合は、常に大事に保管しているダイヤモンドに付されたＩＤを手掛かりにアクセスするので、そのようなおそれはなく、一方、ダイヤモンドを身に付けるたびに原石を共通する他のダイヤモンドの保有者のことを思い出すという効果も期待できる。
【００１８】
又、電子メールの場合は１対１の通信なのに対し、この発明の場合は電子掲示板のように利用できるので家族やグループ等が一回のアクセスで全員の消息やメッセージを知ることが可能となる。
【００１９】
又、前記（２）（Ｃ）の場合に電子メールを利用して離別した相手に通信することは場合によってはストーカー的な行為となってしまうが、この発明の場合は自分の気持ちを原石のファイルに書き込むだけなのでそのようなおそれがなく、一方、相手方が同様の気持ちを持っていて言い出せなかった場合に格好の復縁の機会となる。
【図面の簡単な説明】
【図１】この発明のダイヤモンドの正面図。
【図２】同上、証明書の平面図。
【図３】第２発明のブロック図。
【符号の説明】
１      ダイヤモンド
２      ＩＤ
１０    証明書
【図１】
2004310191.tif 000003
【図２】
2004310191.tif 000004
【図３】
2004310191.tif 000005